(57)【要約】【課題】パソコンや携帯電話の電源投入直後に表示されるメーカー仕様の初期画面を第三者の企業がユーザー希望機能画面又は宣伝広告用初期画面に変更するソフトを開発し、それを多くの企業の顧客に使ってもらい、その広告閲覧者が当該広告画面にオーバーラップしている本発明ポータルサイトを利用してもらうこと。【解決手段】パソコンメーカー仕様の初期画面を本発明ポータルサイトＵＲＬにオーバーラップさせて第三者企業の宣伝広告ＵＲＬ画面に変更する実行ファイルを開発し、その実行ファイルを配布用ＣＤロムに焼き付け、宣伝広告を希望する多くの企業の顧客に配布するか又はダウンロードして使ってもらい、更にバナー広告を載せることによって相乗効果を狙い、利用者を増やし、当該広告のメニューバーの「戻る」をクリックすれば本発明者のポータルサイトへ移り、「進む」をクリックすれば元の広告画面に戻るようにする。【特許請求の範囲】
【請求項１】
パソコン等の電源投入時、パソコンメーカー等が設定した自動立ち上げ初期画面を広報宣伝広告等の機能画面として自動立ち上げ初期画面に替えられるようにする。
【請求項２】
メーカー仕様の初期画面をユーザーが広報宣伝広告用初期画面に替え、その広告閲覧者が当該広告にオーバーラップしたポータルサイトを利用出来るようにする。
【発明の詳細な説明】
【技術分野】
【０００１】  この発明は、パソコン等の電源投入時、パソコンメーカー等が設定した自動立ち上げ初期画面をユーザーが自分の要求する機能画面や団体、企業の広報宣伝広告初期画面に替えられるようにすることと、メーカー仕様の初期画面を宣伝広告初期画面に替え、その広告閲覧者が当該広告にオーバーラップしたポータルサイトを利用出来るようにする。すなわち、パソコンや携帯電話の電源を投入して立ち上げると通常はメーカー仕様の初期画面が表示されるが、ユーザーが携帯電話やパソコンを購入後、パソコンや携帯電話の初期画面をユーザーが自分の要求する機能画面や任意の企業等の宣伝広告初期画面に書き換えられるようにする為の実行ファイルを創り、この実行ファイルをユーザーがインターネットからダウンロードするか又は、この実行ファイルの入ったＣＤロムをＤＶＤドライブに挿入して電源を投入、自動的に企業等の商品広告などをパソコンや携帯電話の初期画面に表示出来るようにする。そして更に表示画面にその実行ファイルのショートカットを創り、いつでも自分の必要とする機能画面に出来るようにする。そして、それらを基にインターネットの通信接続業者が現在行っているポータルサイトとしての役割を通信接続業者以外でも情報の受発信者の中継基地としてユーザーの利便性が図れるようにする。つまり、個人や企業のパソコンや携帯電話に通電し立ち上げると、パソコンや携帯電話の初期表示画面に自動的且つ直ぐＩｎｔｅｒｎｅｔ  Ｅｘｐｌｏｒｅｒ等のインターネット閲覧ソフトで動く各企業の広告契約されたホームページが最初に表示され、メニューバーの「戻る」をクリックすると常に本発明のポータルサイトに移る技術。
【背景技術】
【０００２】  従来、パソコンや携帯電話の電源を投入して立ち上げると通常メーカー仕様の初期画面が表示され、ユーザーがその画面のショートカットから更に希望の画面に移らなければならず、初心者やパソコンを決まったことにしか利用しない人には非常に不便であり、テレビのように電源を投入さえすれば必要画面が出てくることが望まれ、更に有効な初期画面を当該パソコンや携帯電話関連メーカー以外の企業が広告宣伝に利用できなかった。又、従来よりインターネットの通信接続業者が回線接続のために必要とする個人情報を基に個人又は企業及び団体と必然的に回線契約によって、巨大なポータルサイトとして情報の受発信の中継基地としての役割を果たしており、大手通信接続業者以外が多額の宣伝広告費をかけずに有力ポータルサイトになることは不可能であった。
【発明の開示】
【発明が解決しようとする課題】
【０００３】  この発明が解決しようとする課題は、不特定多数のユーザーが買い取ったパソコン等のメーカー仕様初期画面を各ユーザーが仕事等の機能画面や特定企業等の広報宣伝広告のウェブサイト初期画面に変更出来るようにすることと、そのユーザーが既存のポータルサイト以外の新設特定ポータルサイトを利用出来るようにすること。【０００４】  既存のポータルサイトが出逢い系サイトや自殺勧誘サイト、匿名チャット、自己責任まかせの無責任インターネットオークション、匿名の掲示板など各種犯罪の原因となっているにもかかわらず、既存のポータルサイトは個人情報を盾に自主規制せず、ホームページの公開は野放し状態。ほとんどのポータルサイトは全て無審査、倫理観に欠け、公序良俗に反するようなホームページでも公開させてしまということが行われている。【０００５】  善良なる大多数の国民が信頼し、安心して安価に使え、自主規制するポータルサイトの出現が急がれている。
【課題を解決するための手段】
【０００６】（１）この課題を解決するために、この発明ではパソコン等を電源投入時に立ち上がるメーカー仕様初期画面を自動的にユーザーや企業が希望する機能的初期画面に替えるための実行ファイルの創り、この実行ファイルが起動したとき、当該ポータルサイトのホームページＵＲＬをパソコン等の表示画面に送り込み、その後に広告宣伝等を希望する企業のＵＲＬ又はその他のソフトを被せるようにパソコンの表示画面に表示させる。更に表示画面にその実行ファイルのショートカットを創り、当該初期画面を消してもショートカットをクリックすれば直ぐ戻るようにする。【０００７】（２）その実行ファイルを全国的企業の顧客のパソコンユーザーにインターネットからダウンロードしてもらうか、又はそれを焼き付けた自動立ち上がりＣＤロムを多数の顧客を有する企業多数にその企業の広告媒体として顧客に送付して使ってもらい、この広告を見るか又は利用した人が何らかのメリットが得られるようにして、本発明の利用を全国規模にしかも国民の多くの人が利用出来るよう拡大する。【０００８】（３）更に他企業にバナー広告を掲載してもらい、広告の相乗効果を狙う。【０００９】（４）本発明を利用するユーザーがメニューバーの「戻る」をクリックすれば本発明ポータルサイトに移り、更に他人の契約ホームページにリンクして、各種情報の受発信が出来るようにする。【００１０】（５）ポータルサイトは他社プロバイダーの無料ホームページ（通常１０メガバイト程度）を使い、それを超える場合は他人の空き無料ホームページを当該専用ホームページとして相互にリンクして使い、１０人、１００人、１０００人、１万人と繋げていく。
【発明の効果】
【００１１】  本発明は従来全くパソコンメーカー以外の第三者が利用できなかったパソコン等の初期画面を第三者の企業が自由に消費者向け宣伝広告に変更出来るので、多くの企業が活用でき、この広告利用者への利益還元を義務付けるので、利用者が現行の大手ポータルサイト以上になることも可能である。【００１２】  又、初期画面の企業広告に他社のバナー広告を有料で載せれば当初の企業はバナー広告料の収入が入るだけでなく、バナー広告会社の顧客をも自社の顧客とすることが出来る。そしてバナー広告会社が多くなればなるほど互いの相乗効果は大きくなり、本発明を利用する人が膨大となる。【００１３】  一例として、毎日株式投資取引をやっているデイトレーダーは電源投入時、自動的に契約証券会社が出てくれば非常に便利であり、又高齢化社会に向かってパソコンが分からない人でも電源を入れさえすればテレビのように自分の見たい画面が出てくることはパソコン嫌いな人でも簡単に情報を得ることが出来、情報バリアーを減少させる。近い将来熟年団塊世代が定年退職になった時、又アナログテレビ放送がデジタル放送になった時、パソコンの電源を入れれば即株取引が出来たり、テレビ放映がそのままチューナー無しでテレビ受像機同様に即見られ、しかもテレビ局にデータを送信出来たりすればパソコンの機能が使えて、非常に便利である。【００１４】  そしてそのサイトのメニューバー「戻る」をクリックすれば本発明のポータルサイトに移り、利用者の利便性、安全性、倫理観に基づく運営、利益還元を考えれば更に利用者の拡大が図れる。
【発明の実施するための最良の形態】
【実施例１】
【００１５】  パソコンのメーカー仕様初期画面を変更させるための実行ファイルをＷｉｎｄｏｗｓパソコンを例にして説明すると、そのパソコンのスタートアッアップホルダーに本発明のポータルサイトと他企業の宣伝用初期画面を創る二つのＵＲＬを書き込み、且つ当該画面に当該他企業の宣伝用バナー広告を貼り付けた本発明のポータルサイトのショートカットを書き込む実行ファイル創る。【００１６】  例として本発明ポータルサイトとして次ぎのようなウェブサイト、
ｈｔｔｐ：／／ｗｗｗ２．ｔｔｃｎ．ｎｅ．ｊｐ／〜ｑｕｊｉｎ／ｔｏｋｙｏｔｏｒｉｔｓｕｄａｉｇａｋｕ．ｈｔｍ（既に閉鎖）を起動させ、次に企業の広告宣伝用初期画面を表示させるために次のようなウェブサイト、
″ｈｔｔｐ：／／ｊｎｓ．ｉｘｌａ．ｊｐ／ｕｓｅｒｓ／ｊ２００１１６３０１６２７５９０／ｔｏｋｙｏｔｏｒｉｔｓｕｄａｉｇａｋｕ．ｈｔｍ″（既に閉鎖）を起動させて、本発明のポータルサイトにオーバーラップして初期画面として表示させるような実行ファイル“Ａ社案内とポータル．ｅｘｅ”をプログラム言語ＶＢでプロジェクトを開発すると以下のとおりである。【００１７】
2006338646.tif 000002
2006338646.tif 000003
この実行ファイルをＶＢのセットアップウイザードによってＣＤロムに焼き付ければ配布用ＣＤロムが出来あがる。【００１８】  このＣＤロムを多数の顧客を抱え、商品広告などの宣伝を希望する多数の大企業に宣伝広告媒体として当該企業の顧客に送付又は実行ファイルをダウンロードしてもらえば、パソコンの初期画面が電源投入時、自動的に当該企業のインターネット宣伝広告画面となる。勿論この画面を閉じて他の画面に替える事もできる。【００１９】  そして本発明を多くの人に利用してもらうために、この広告を利用した人に何らかのメリットを与え、他社のバナー広告を載せる。【００２０】  本発明のユーザーがメニューバーの「戻る」をクリックすればオーバーラップしている本発明のポータルサイトに移り、各種情報の受発信が出来る。
【実施例２】
【００２２】  実施例１では実行ファイルをスタートアップホルダーとデスクトップにショートカットを創ったが、実施例２ではＣＤロムに焼き付けられた実行ファイル内のポータルサイトＵＲＬに企業宣伝用ＵＲＬをオーバーラップさせて実行するものである。以下そのプログラムをＶＢで記述すると、【００２３】
2006338646.tif 000004
他は実施例１と同じ。【００２４】  ただしこの場合はメーカー仕様の初期画面は替わらず、ユーザーが必要な時にＣＤロムをドライブに差し込み、宣伝広告画面を自動的に立ち上げ、宣伝広告画面とポータルサイト画面を利用する。
【産業上の利用可能性】
【００２５】